(57)【要約】【課題】筐体の外面に露出する充電用ケーブルやコネクタを悪戯から保護することができ、しかも充電の障害となることのない自動車充電装置の防護用カバーを提供する。【解決手段】充電用ケーブル収納部またはコネクタ保持部を外面に露出させた筐体の、ケーブル収納部またはコネクタ保持部を含む全体を被覆し得る形状を備えた自動車充電装置の防護用カバーである。防護用カバー１０は、少なくともその一部をメッシュ部１６とすることが好ましく、また充電用ケーブル収納部２に沿った位置に開閉部１２を設けることが好ましい。【選択図】図２
2012205473.tif 000002
【特許請求の範囲】
【請求項１】
充電用ケーブル収納部またはコネクタ保持部を外面に露出させた筐体の、ケーブル収納部またはコネクタ保持部を含む全体を被覆し得る形状を備えたことを特徴とする自動車充電装置の防護用カバー。
【請求項２】
防護用カバーの少なくとも一部をメッシュ部としたことを特徴とする請求項１記載の自動車充電装置の防護用カバー。
【請求項３】
防護用カバーの内面に熱遮蔽部材を取付けたことを特徴とする請求項１〜２の何れかに記載の自動車充電装置の防護用カバー。
【請求項４】
防護用カバーの充電用ケーブル収納部に沿った位置に、開閉部を設けたことを特徴とする請求項１〜３の何れかに記載の自動車充電装置の防護用カバー。
【発明の詳細な説明】
【技術分野】
【０００１】
本発明は、電気自動車等への充電に使用される自動車充電装置の防護用カバーに関するものである。
【背景技術】
【０００２】
電気自動車等の車載電池を充電するための自動車充電装置については、これまでに様々な提案がなされ、また実用化が進められている。自動車充電装置のうちスーパーマーケット等に設置されて多数の利用者が利用するものは、縦長の筐体の内部に給電装置や制御装置を内蔵するとともに、筐体の外側に充電用ケーブルを備えたもの（特許文献１）が普通である。
【０００３】
この充電用ケーブルは自動車に接続するためのコネクタを先端に備えたものであり、非充電時には充電用ケーブルを充電用ケーブル収納部に巻き付け、先端のコネクタを筐体外面に形成されたコネクタ保持部に収納する構造となっている。
【０００４】
このように充電用ケーブルやコネクタは使用し易いように筐体の外面に露出させてある。このため人目のない場所に自動車充電装置が設置されているような場合には、悪戯によって充電用ケーブルが切断されたり、コネクタが保持部から落とされたりする可能性があった。
【０００５】
また、自動車充電装置が海岸近く等に設置されている場合には、潮風に乗って飛来する塩分により筐体に錆が発生したり、コネクタの絶縁部分の絶縁性能を低下させたりする可能性があった。
【先行技術文献】
【特許文献】
【０００６】
【特許文献１】特開２０１０−２８３９４６号公報
【発明の概要】
【発明が解決しようとする課題】
【０００７】
従って本発明の目的は上記した従来の問題点を解決し、筐体の外面に露出する充電用ケーブルやコネクタを悪戯や潮風などから保護することができ、しかも充電の障害となることのない自動車充電装置の防護用カバーを提供することである。
【課題を解決するための手段】
【０００８】
上記の課題を解決するためになされた本発明は、充電用ケーブル収納部またはコネクタ保持部を外面に露出させた筐体の、ケーブル収納部またはコネクタ保持部を含む全体を被覆し得る形状を備えたことを特徴とするものである。
【０００９】
なお、防護用カバーの少なくとも一部をメッシュ部とすることが好ましい。また、防護用カバーの内面に熱遮蔽部材を取付けることが好ましい。さらに、筐体の充電用ケーブル収納部に沿った位置の防護用カバーに、開閉部を設けることが好ましい。
【発明の効果】
【００１０】
本発明によれば、筐体の充電用ケーブル収納部またはコネクタ保持部を含む全体を防護用カバーにより被覆することができるので、充電用ケーブルが切断されたり、コネクタが保持部から落とされたりする悪戯を防止することができる。また、潮風に乗って飛来する塩分により筐体に錆が発生したりすることを防止することができる。
【００１１】
防護用カバーの一部または全体をメッシュ部とすれば、メッシュ部を通じて筐体内部の換気を行うことができるとともに、防護用カバーの下部から吹き込んだ風をメッシュ部から逃がすことができるので、防護用カバーが風により大きく揺れて筐体に擦り傷を付けることがない。
【００１２】
また防護用カバーの内面に熱遮蔽部材を取付ければ、太陽光等の外部からの熱から筐体内部の制御機器を保護することができる。
【００１３】
さらに筐体の充電用ケーブル収納部に沿った位置の防護用カバーに開閉部を設けておけば、防護用カバーの全体を取り除かなくても開閉部を部分的に開くだけで充電用ケーブルを引出して充電操作を行うことができるので便利である。
【図面の簡単な説明】
【００１４】
【図１】本発明の実施形態における筐体を示す斜視図である。
【図２】本発明の実施形態における防護用カバーを示す斜視図である。
【図３】開閉部の固定状態を示す拡大図である。
【図４】防護用カバーへの風の吹き込みを示す説明図である。
【図５】熱遮蔽部材を示す斜視図である。
【発明を実施するための形態】
【００１５】
以下に図面を参照しつつ、本発明の実施形態を説明する。
図１は本発明の実施形態における筐体を示す斜視図である。図１において１は縦長の筐体であり、その内部には給電装置や制御装置が内蔵されている。また筐体１の外側には、充電用ケーブル収納部２とコネクタ保持部３が設けられている。筐体１は図４のように基台１３の上に立設され、電源は基台１３を通じて内部に引き込まれる。
【００１６】
この自動車充電装置は公共の場所に設置されるものであり、非充電時には充電用ケーブル４は筐体下部から引き出されて側面の充電用ケーブル収納部２に巻かれ、その先端のコネクタ５をコネクタ保持部３に保持させてある。この充電用ケーブル収納部２とコネクタ保持部３とは筐体１の側面と正面とに形成されているが、その配置は必ずしもこれに限定されるものではなく、同一面に形成することもできる。なお６は充電状況などを表示するために筐体１の正面に設けられた表示装置である。
【００１７】
図２に示される防護用カバー１０はこの筐体１の充電用ケーブル収納部２やコネクタ保持部３を含む全体を被覆し得る形状を備えたものであり、筐体１とほぼ同一形状の内部形状を備えたものである。ただし筐体１の上部から被せられるものであるため、底面は開口されている。この実施形態では筐体１の上面や傾斜面１１となっているので、防護用カバー１０も上面が傾斜面１１となっている。美観の点から原則的には筐体１の形状に合わせた構造とすることが望ましいが、その他の筐体の構造に対応するため、直方体の形状とするものであっても良い。
【００１８】
この防護用カバー１０はナイロンや塩化ビニル等からなる厚手で強度のある合成樹脂製のものであり、その外面はエンボス状に加工されており、放熱面積を増加している。
【００１９】
図２に示されるように、防護用カバー１０の側面には開閉部１２が設けられている。この開閉部１２は例えばジッパーであり、筐体１の充電用ケーブル収納部２に沿った位置に形成しておくことが好ましい。このような構造としておけば、防護用カバー１０を被せたままでも開閉部１２を開けば充電用ケーブル収納部２から充電用ケーブル４を引出して充電することが可能である。また、防護用カバー１０の開閉部１２と充電用ケーブル収納部２に沿った位置とは異なる場合においては、開閉部１２を閉じた場合で充電用ケーブル４を引き出す場合には、充電用ケーブル４を開閉部１２まで引き回しを行うために余裕をもたせる必要があり、防護用カバー１０を大きくしなければならないので、開閉部１２は充電用ケーブル収納部２に沿った位置にあることが望ましい。
【００２０】
なお図３に示すように、筐体１が設置される基台１３にアンカーボルト等の固定部１４を設け、非充電時には開閉部１２の下端部を南京錠等の錠１５によって固定しておけば、開閉部１２を開くことができないので、悪戯防止に有効である。
【００２１】
図２に示されるように、防護用カバー１０の少なくとも一部はポリ塩化ビニルの材料で複数の開口が形成されたメッシュ部１６となっている。筐体１の内部には制御機器や操作パネル等が収納されているために熱が籠り易いが、防護用カバー１０の上部にメッシュ部１６を形成しておけば換気を行い、外部に放熱することができる。
【００２２】
また図４に示すように、基台１３と防護用カバー１０との隙間から吹き込んだ風が防護用カバー１０を振動させ、開閉部１２のジッパー等が筐体１の表面を疵付ける可能性があるが、防護用カバー１０にメッシュ部１６を設けておけば吹き込んだ風を逃がすことができるので、このような問題を防止することができる。なおこの実施形態ではメッシュ部１６を防護用カバー１０の上方部分に形成したが、全体をメッシュ構造としても差支えない。また図２に示すように防護用カバー１０の下部に孔部１７を設けておき、アンカーボルト等の固定部１４とは異なる位置でも基台１３との間を固定できるようにしておけば、風の吹き込みをより効果的に防止することができる。その位置はアンカーボルト等の固定部１４に対して対角線上としておくことが好ましく、より効果的に防護用カバー１０の揺れを防止することができるものである。
【００２３】
このほか、図５に示すように防護用カバー１０の内面には熱遮蔽部材１８を取付けておくことが好ましい。熱遮蔽部材１８は例えばアルミ箔であり、太陽光等の外部からの熱を反射することによって筐体１の内部の操作部や表示装置などの制御機器等を保護するものである。表示装置の制御機器は、作業者の目線近くに設置されるようにするため筐体１の頭部にくることが多くなる。そのため、筐体１の天面に太陽光を浴びるために温度が上昇し制御機器が誤動作を起こすことがある。そのため、制御機器等の付近に影響を与えないように熱遮蔽部材１８を形成するものである。このような熱遮蔽部材１８は熱が籠り易い頭部にのみ設けてもよいが、防護用カバー１０の全体に設けることもできる。
【００２４】
以上に説明したほか、防護用カバー１０の前面の一部を開閉できるようにして充電操作を可能としたり、筐体１の表示装置６に対応する部分をメッシュ構造として表示を見ることができるようにしてもよい。このようにしておけば、充電の都度、開閉部１２を開閉する必要をなくすることができる。
【００２５】
上記したように、本発明によれば筐体１の外面に露出する充電用ケーブル４やコネクタ５を悪戯や潮風などから保護することができる。しかもこの防護用カバー１０は被せたままで充電操作が可能であるから、充電の障害となることがない利点がある。
【符号の説明】
【００２６】
１  筐体
２  充電用ケーブル収納部
３  コネクタ保持部
４  充電用ケーブル
５  コネクタ
６  表示装置
１０  防護用カバー
１１  傾斜面
１２  開閉部
１３  基台
１４  固定部
１５  錠
１６  メッシュ部
１７  孔部
１８  熱遮蔽部材
【図１】
2012205473.tif 000003
【図２】
2012205473.tif 000004
【図３】
2012205473.tif 000005
【図４】
2012205473.tif 000006
【図５】
2012205473.tif 000007